【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
気泡センサ部、加速度センサ部、気泡センサ部と加速度センサ部とに接続された傾斜変化測定データ生成手段を備えた傾斜変化測定装置において、
傾斜変化測定データ生成手段が、
気泡センサ部からの気泡の動作変化を生じさせる気泡センサ部の傾きに基づいて、測定対象地点の傾斜の予め定めた測定タイミングで、０．１−０．２°の微小な傾き角度変化測定で所定の傾き範囲について測定された気泡による傾斜変化量データを受信し、および加速度センサ部からの傾斜加速度変化に基づく測定対象地点の傾斜の予め定めた測定タイミングで、加速度による傾斜変化量データを受信し、所定の傾き範囲内について気泡による傾斜変化量データを選択し、傾斜角度が予め定めた値以上の時に加速度による傾斜変化量データを選択し、これらの選択された傾斜変化量データによって傾斜角度を算出し、傾斜変化測定データを生成すること
を特徴とする傾斜変化測定装置。
【請求項２】
請求項１に記載された傾斜変化測定装置において、所定の傾き範囲が、５°以内の範囲であることを特徴とする傾斜変化測定装置。
【請求項３】
請求項１および２のいずれかに記載された傾斜変化測定・監視装置が用いられ、傾斜変化測定データ生成手段に接続されて、測定対象地点に所定の距離を置いて設置され、変化測定データを送信する無線データ送信部を有する傾斜変化測定・無線データ送信手段と、変化測定・無線データ送信手段からの変化測定データを受信する無線モジュール部と該無線モジュール部に接続され、受信した変化測定データを処理して測定対象地点の傾斜監視データを生成するデータロガー部とを有する無線データ受信・データ記録手段と、を備え、無線データ受信・データ記録手段が、変化測定データに基づいて測定対象地点の傾斜監視データを生成することを特徴とする傾斜変化測定・監視ネットワーク装置。
【請求項４】
気泡センサ部、加速度センサ部、気泡センサ部と加速度センサ部とに接続された傾斜変化測定データ生成手段を備えた傾斜変化測定装置によって実行される傾斜変化測定方法おいて、
傾斜変化測定データ生成手段が、
気泡センサ部からの気泡の動作変化を生じさせる気泡センサ部の傾きに基づいて、測定対象地点の傾斜の予め定めた測定タイミングで、０．１−０．２°の微小な傾き角度変化測定で所定の傾き範囲について測定された気泡による傾斜変化量データを受信し、および加速度センサ部からの傾斜加速度変化に基づく測定対象地点の傾斜の予め定めた測定タイミングで、加速度による傾斜変化量データを受信し、所定の傾き範囲内について気泡による傾斜変化量データを選択し、傾斜角度が予め定めた値以上の時に加速度による傾斜変化量データを選択し、これらの選択された傾斜変化量データによって傾斜角度を算出し、傾斜変化測定データを生成すること
を特徴とする傾斜変化測定方法。
【請求項５】
請求項４に記載された傾斜変化測定方法において、所定の傾き範囲が、５°以内の範囲であることを特徴とする傾斜変化測定方法。
【手続補正２】
【補正対象書類名】明細書
【補正対象項目名】発明の名称
【補正方法】変更
【補正の内容】
【発明の名称】傾斜変化測定装置および傾斜変化測定方法、および傾斜変化測定・監視ネットワーク装置
【手続補正３】
【補正対象書類名】明細書
【補正対象項目名】００１２
【補正方法】変更
【補正の内容】
【００１２】
本発明は、上述の課題を解決するためになされたものであり、その目的は気泡管を有する鉛直判定センサ（気泡センサ）と加速度センサを組み合わせて、鉛直判定センサ（気泡センサ）と加速度センサの二つのセンサからのり面、急傾斜地の傾斜又は橋梁、重要構造物等の傾斜並びに地面等の傾斜等に関連する諸データ等を取得し、のり面、急傾斜地の傾斜又は橋梁、重要構造物等の傾斜並びに地面等の傾斜等を適切に監視することができる傾斜変化測定装置及び傾斜変化測定方法を提供することにある。
【手続補正４】
【補正対象書類名】明細書
【補正対象項目名】００１３
【補正方法】変更
【補正の内容】
【００１３】
本発明は、上述の課題を解決するためになされたものであり、その目的は気泡管を有する鉛直判定センサ（気泡センサ）と加速度センサを組み合わせて、鉛直判定センサ（気泡センサ）と加速度センサの二つのセンサからのり面、急傾斜地の傾斜又は橋梁、重要構造物等の傾斜並びに地面等の傾斜等に関連する諸データを取得し、傾斜の変動を測定し、のり面、急傾斜地の傾斜又は橋梁、重要構造物等の傾斜並びに地面等の傾斜を適切に監視することができる傾斜変化測定装置及び傾斜変化測定方法を提供することにある。
【手続補正５】
【補正対象書類名】明細書
【補正対象項目名】００１４
【補正方法】変更
【補正の内容】
【００１４】
本発明は、上述の課題を解決するためになされたものであり、その目的は気泡管を有する鉛直判定センサ（気泡センサ）と加速度センサを組み合わせて、鉛直判定センサ（気泡センサ）と加速度センサの二つのセンサからのり面、急傾斜地の傾斜又は橋梁、重要構造物等の傾斜並びに地面等の傾斜等に関連する諸データを取得し、のり面、急傾斜地の傾斜又は橋梁、重要構造物等の傾斜並びに地面等の傾斜等を適時監視し、安全に傾斜観測を行うことができる傾斜変化測定装置及び傾斜変化測定方法を提供することにある。
【手続補正６】
【補正対象書類名】明細書
【補正対象項目名】００１５
【補正方法】変更
【補正の内容】
【００１５】
本発明は、上述の課題を解決するためになされたものであり、その目的は気泡管を有する鉛直判定センサ（気泡センサ）と加速度センサを組み合わせて、鉛直判定センサ（気泡センサ）と加速度センサの二つのセンサからのり面、急傾斜地の傾斜又は橋梁、重要構造物等の傾斜並びに地面等の傾斜等に関連する諸データを取得し、のり面、急傾斜地の傾斜又は橋梁、重要構造物等の傾斜並びに地面等の傾斜状況を適切に監視し、災害の可能性を事前に察知することができる傾斜変化測定装置及び傾斜変化測定方法を提供することにある。
【手続補正７】
【補正対象書類名】明細書
【補正対象項目名】００１６
【補正方法】変更
【補正の内容】
【００１６】
本発明は、上述の課題を解決するためになされたものであり、その目的は気泡管を有する鉛直判定センサ（気泡センサ）と加速度センサを組み合わせて、鉛直判定センサ（気泡センサ）と加速度センサの二つのセンサからのり面、急傾斜地の傾斜又は橋梁、重要構造物等並びに地面等の傾斜等に関連する諸データの測定値を、無線ネットワークを通して通信することができる傾斜変化測定装置及び傾斜変化測定方法を提供することにある。
【手続補正８】
【補正対象書類名】明細書
【補正対象項目名】００１７
【補正方法】変更
【補正の内容】
【００１７】
本発明は、上述の課題を解決するためになされたものであり、その目的は気泡管を有する鉛直判定センサ（気泡センサ）と加速度センサを組み合わせて、鉛直判定センサ（気泡センサ）と加速度センサの二つのセンサからのり面、急傾斜地の傾斜又は橋梁、重要構造物等の傾斜並びに地面等の傾斜等に関連する諸データの測定値を記録、表示、累積表示することができる傾斜変化測定装置及び傾斜変化測定方法を提供することにある。
【手続補正９】
【補正対象書類名】明細書
【補正対象項目名】００１８
【補正方法】変更
【補正の内容】
【００１８】
本発明は、気泡センサ部、加速度センサ部、前記気泡センサ部及び前記加速度センサ部に接続された制御マイクロコントローラ部及び前記制御マイクロコントローラ部に接続された無線データ送信部を有する傾斜変化測定・無線データ送信手段と、無線モジュール部及び前記無線モジュール部に接続されたデータロガー部を有する無線データ受信・データ記録手段とを備えた傾斜変化測定ネットワーク装置において、前記傾斜変化測定・無線データ送信手段を測定対象地点に設置し、前記無線データ受信・データ記録手段を前記傾斜変化測定・無線データ送信手段から所定の距離をおいて設置し、前記傾斜変化測定・無線データ送信手段の前記気泡センサ部は前記傾斜変化測定・無線データ送信手段自体の前記測定対象地点の初期の微小な傾斜の変化量を測定し、前記傾斜変化測定・無線データ送信手段の前記加速度センサ部は前記測定対象地点のｘ方向の傾斜の変化量及びｙ方向の傾斜の変化量を測定し、前記傾斜変化測定・無線データ送信手段の前記気泡センサ部の測定した前記測定対象地点の前記初期の微小な傾斜の変化量と前記加速度センサ部の測定した前記ｘ方向の傾斜の変化量及び前記ｙ方向の傾斜の変化量を、前記傾斜変化測定・無線データ送信手段の前記制御マイクロコントローラ部でデータ処理し、前記傾斜変化測定・無線データ送信手段の前記制御マイクロコントローラ部の前記処理データを前記無線データ受信・データ記録手段の前記無線モジュール部に送信し、前記無線データ受信・データ記録手段の前記無線モジュール部で受信したデータを前記無線データ受信・データ記録手段の前記データロガー部で処理し、前記無線データ受信・データ記録手段の前記データロガー部の前記処理データを用いて前記測定対象地点の傾斜を監視することを特徴とする。
【手続補正１０】
【補正対象書類名】明細書
【補正対象項目名】００１９
【補正方法】変更
【補正の内容】
【００１９】
本発明は、気泡センサ部、加速度センサ部、前記気泡センサ部及び前記加速度センサ部に接続された制御マイクロコントローラ部及び前記制御マイクロコントローラ部に接続された無線データ送信部を有する傾斜変化測定・無線データ送信手段を準備し、無線モジュール部及び前記無線モジュール部に接続されたデータロガー部を有する無線データ受信・データ記録手段を準備し、前記傾斜変化測定・無線データ送信手段を測定対象地点に設置し、前記無線データ受信・データ記録手段を前記傾斜変化測定・無線データ送信手段から所定の距離をおいて設置し、前記傾斜変化測定・無線データ送信手段の前記気泡センサ部は前記傾斜変化測定・無線データ送信手段自体の前記測定対象地点の初期の微小な傾斜の変化量を測定し、前記傾斜変化測定・無線データ送信手段の前記加速度センサ部は前記測定対象地点のｘ方向の傾斜の変化量及びｙ方向の傾斜の変化量を測定し、前記傾斜変化測定・無線データ送信手段の前記気泡センサ部の測定した前記測定対象地点の前記初期の微小な傾斜の変化量と前記加速度センサ部の測定した前記ｘ方向の傾斜の変化量及び前記ｙ方向の傾斜の変化量を、前記傾斜変化測定・無線データ送信手段の前記制御マイクロコントローラ部でデータ処理し、前記傾斜変化測定・無線データ送信手段の前記制御マイクロコントローラ部の前記処理データを前記無線データ受信・データ記録手段の前記無線モジュール部に送信し、前記無線データ受信・データ記録手段の前記無線モジュール部で受信したデータを前記データロガー部で処理し、前記無線データ受信・データ記録手段の前記データロガー部の前記処理データを用いて前記測定対象地点の傾斜を監視することを特徴とする。